(57)【要約】【課題】可搬性を有するとともに、少なくとも二次電池を装置に固定内蔵させることなく、太陽光発電装置とは別体とすることにより、二次電池の移動作業にも適した使い勝手の良い新規な可搬式太陽光発電装置を提供する。【解決手段】  太陽光発電体３５，４４，６４とを有してなる架台５，６，７と、上記架台の下方に配置される本体側キャスター１８と、を有してなる太陽光発電装置本体２と、上記太陽光発電体に接続された二次電池９９，１００を支持する電池支持体１０５と、この電池支持体の下方に配置され地面上を転動する電池側キャスター９８と、を有してなる電池支持装置３と、を備え、上記架台内には、上記電池支持装置を内部に収容する収容空間が形成され、該架台には、上記収容空間内に上記電池支持装置を収容した際に架台と電池支持装置とが係合する係合部材８６，８７が該架台と太陽光発電装置との少なくとも何れか一方に相対的に配置されてなる。【選択図】  図１
2014207298.tif 000002
【特許請求の範囲】
【請求項１】
背面板部と、この背面板部の正面に配置され上端から下端側にかけて該背面板部から徐々に離間するように配置され太陽光により発電する太陽光発電体とを有してなる架台と、上記架台の下方に配置され地面上を転動する本体側キャスターと、を有してなる太陽光発電装置本体と、
上記太陽光発電体にコネクタを介して電気的に接続された二次電池を支持する電池支持体と、この電池支持体の下方に配置されに地面上を転動する電池側キャスターと、を有してなる電池支持装置と、を備え、
上記架台を構成する背面板部と太陽光発電体との間には、上記電池支持装置を内部に収容する収容空間が形成されてなるとともに、該架台には、上記収容空間内に上記電池支持装置を収容した際に架台と電池支持装置とが係合する係合部材が該架台と太陽光発電装置との少なくとも何れか一方に相対的に配置されてなることを特徴とする可搬式太陽光発電装置。
【請求項２】
前記架台は、大型の架台から小型の架台がそれぞれ相対的に入れ子状に配置された複数の架台として構成され、それぞれの架台には前記本体側キャスターが配置されてなり、相対的に大型の架台内に小型の架台の全部又は一部が挿入可能とされ、該複数の架台の全長が伸縮可能とされてなるとともに、前記電池支持装置が収容される収容空間は、上記最も小型の架台に形成されてなることを特徴とする請求項１記載の可搬式太陽光発電装置。
【請求項３】
前記電池支持装置には、前記架台の外側から前記収容空間内に収容する際に移動させる方向又は該収容空間内から取り出す際に移動させる方向とは直交する方向にスライド操作可能なトレーが配置され、上記トレー上に前記二次電池が支持されてなることを特徴とする請求項１又は２記載の何れかの可搬式太陽光発電装置。
【請求項４】
前記太陽光発電装置本体又は架台と電池支持装置とには、該電池支持装置が、該太陽光発電装置本体又は架台の外側から前記収容空間内に収容されるように移動操作することにより、該電池支持装置全体が上昇するようガイドするガイド部材と、このガイド部材にガイドされる被ガイド部材とが相対的に配置されてなることを特徴とする請求項１，２又は３記載の何れかの可搬式太陽光発電装置。
【請求項５】
前記太陽光発電装置本体又は架台又は電池支持装置には、該二次電池に電気的に接続されたモバイル無線ＬＡＮルータが配置されてなることを特徴とする請求項１，２，３又は４記載の何れかの可搬式太陽光発電装置。
【発明の詳細な説明】
【技術分野】
【０００１】
本発明は、太陽光発電装置に係るものであって、特に、自立性を有してなるとともに移動可能とされてなる太陽光発電装置に関するものである。
【背景技術】
【０００２】
これまで太陽光発電装置は、国の電力買取制度の創設を背景に、家屋，ビル又は工場等の構造物の屋根や屋上に多数設置されたり、広い敷地に数多く設置されたりすることが多い。こうした構造物や敷地に多数設置されている太陽光発電装置は、複数のセルからなるモジュールが所定の面積に配置された太陽光発電体（太陽光パネル等）が架台により傾斜した状態で支持されてなるものが多い。他方、上記太陽光発電装置は、古くは電卓の電源として使用されたり、近年では、携帯電話等の家電製品等を充電したりするためのバッテリーとして利用されているものも存在する。
【０００３】
ところで、上述した構造物や敷地に設置された太陽光発電装置では、該構造物等に固定されたものであり、持ち運びが不能である一方、家電製品を充電する用途として販売されている太陽光発電装置では、小型であるため持ち運びに適している半面、得られる電力が小さい。換言すれば、商用電源を得られる環境にない場所や震災等の天災地変により電源設備が使用不能となった場所においても、所定量の発電が可能となり、移動させることが容易となり（可搬性を有し）しかも自立性を有する太陽光発電装置が求められている。
【０００４】
そこで、こうした機能を備えた太陽光発電装置としては、以下に羅列するものが種々提案されている。例えば、発電装置の骨格を形成するフレームに、フィルム状の太陽電池の両側から防水シートを貼り合わせたラミネート構造の可撓性太陽電池モジュールを巻き取るための巻き取りロールにより巻き取り可能とし、上記フレームには、キャスターを備えてなるもの（特許文献１参照）や、展開することにより四角推状とされるテント体の傾斜面に太陽光パネルを配置し、上記テント体を折り畳み可能としたもの（特許文献２）等がある。こうした太陽光発電装置によれば、上記太陽電池モジュールや太陽光パネルにより発電することが可能となるばかりではなく、自立性を備えるとともに移動可能となる。
【先行技術文献】
【特許文献】
【０００５】
【特許文献１】特開平１０−３１３１３０号公報
【特許文献２】特開２０００−４０３８号公報
【発明の概要】
【発明が解決しようとする課題】
【０００６】
ところで、上記それぞれの太陽光発電装置は、上記太陽電池モジュール又は太陽光パネルにより発電した電力は、二次電池に蓄電して使用される場合が多く、上記二次電池（又はこの二次電池にインバータを接続し、このインバータ）に（必要に応じてアダプタを介して）携帯電話やパーソナルコンピュータその他の電子機器若しくは家電製品等の負荷を接続して使用されるのが一般的である。したがって、例えば、上記特許文献１に開示されたもののように、太陽光発電装置に上記キャスター等を取り付けて可搬性を有するものとして構成する場合には、該太陽光発電装置に内蔵させる方法と、上記二次電池を作業者又は使用者が別個に所持して移動させる方法が想定される。
【０００７】
しかしながら、上記二次電池は、比較的高重量のものが多く、容量が大きな二次電池を使用する場合には、作業者又は使用者が所持して移動させることは困難であり、さらにこうした二次電池を複数個に亘って上記太陽光パネル等に接続させて使用する場合には、相当な労力を強いることとなる。一方、上記二次電池等を太陽光発電装置に内蔵させ、一体とさせる方法を採用した場合には、二次電池を予め充電した後に上記太陽光パネル等に接続させることはできない。
【０００８】
そこで、本発明は、上述した従来の太陽光発電装置が有する課題を解決するために提案されたものであって、可搬性を有するとともに、少なくとも二次電池を装置に固定内蔵させることなく、太陽光発電装置とは別体とすることにより、二次電池の移動作業にも適した使い勝手の良い新規な可搬式太陽光発電装置を提供することを目的とするものである。
【課題を解決するための手段】
【０００９】
本発明は、上記課題を解決するために提案されたものであって、第１の発明（請求項１記載の発明）は、背面板部と、この背面板部の正面に配置され上端から下端側にかけて該背面板部から徐々に離間するように配置され太陽光により発電する太陽光発電体とを有してなる架台と、上記架台の下方に配置され地面上を転動する本体側キャスターと、を有してなる太陽光発電装置本体と、上記太陽光発電体にコネクタを介して電気的に接続された二次電池を支持する電池支持体と、この電池支持体の下方に配置されに地面上を転動する電池側キャスターと、を有してなる電池支持装置と、を備え、上記架台を構成する背面板部と太陽光発電体との間には、上記電池支持装置を内部に収容する収容空間が形成されてなるとともに、該架台には、上記収容空間内に上記電池支持装置を収容した際に架台と電池支持装置とが係合する係合部材が該架台と太陽光発電装置との少なくとも何れか一方に相対的に配置されてなることを特徴とするものである。
【００１０】
上記第１の発明に係る可搬式太陽光発電装置では、上記電池支持装置は上記架台内に収容され、該架台と係合されるとともに、上記太陽光発電装置本体には本体側キャスターが配置され、電池支持装置には電池側キャスターが配置されていることから、作業者又は使用者が上記太陽光発電装置本体を押圧することにより、該太陽光発電装置本体と電池支持装置とを一体的に（すなわち、この可搬式太陽光発電装置全体を）他所に移動させることが可能となる。また、上記太陽光発電装置本体と電池支持装置との係合状態を解除し、該電池支持装置を太陽光発電装置本体内から取り出すことにより、電池支持装置のみを他所に移動することができるばかりではなく、上記二次電池を交換することも可能となる。こうした二次電池の交換は、例えば、蓄電能力が低下した二次電池を新たな二次電池に交換する場合だけではなく、充電量が少ない二次電池を充電量が多い二次電池に交換する場合を挙げることができる。こうした二次電池の交換により、商用電源には接続できない野外においては、上記太陽光発電体のみからの電力に頼る必要性はなく、長時間電力を使用することが可能となる。
【００１１】
なお、上記太陽光発電体は、太陽光により発電する機能を備えたものであれば、板状に成形された太陽光パネルでも、フィルム状の太陽電池の両側から防水シートを貼り合わせたラミネート構造の可撓性太陽電池モジュールであっても良い。また、上記電池支持装置は、少なくとも一つの二次電池が支持されてなるものであれば良く、該二次電池の数は特に限定されるものではない。また、この電池支持装置には、上記二次電池ばかりではなく、直流電流を交流電流に変換するインバータ，電流系その他用途に応じて必要な機器が支持されているものであっても良い。
【００１２】
また、第２の発明（請求項２記載の発明）は、上記第１の発明において、前記架台は、大型の架台から小型の架台がそれぞれ相対的に入れ子状に配置された複数の架台として構成され、それぞれの架台には前記本体側キャスターが配置されてなり、相対的に大型の架台内に小型の架台の全部又は一部が挿入可能とされ、該複数の架台の全長が伸縮可能とされてなるとともに、前記電池支持装置が収容される収容空間は、上記最も小型の架台に形成されてなることを特徴とするものである。
【００１３】
この第２の発明に係る可搬式太陽光発電装置では、前記架台は、大型の架台から小型の架台がそれぞれ相対的に入れ子状に配置された複数の架台として構成され、相対的に大型の架台内に小型の架台の全部又は一部が挿入可能とされ、該複数の架台の全長が伸縮可能とされてなることから、使用しない場合には全長を小型化することがき、前記本体側キャスターや電池側キャスターを転動させながら他所へ移動させる際や、自動車等の車両に積載して移送する際においても極めて簡便なものとすることが可能となる。
【００１４】
また、第３の発明（請求項３記載の発明）は、上記第１又は第２の発明の何れかにおいて、前記電池支持装置には、前記架台の外側から前記収容空間内に収容する際に移動させる方向又は該収容空間内から取り出す際に移動させる方向とは直交する方向にスライド操作可能なトレーが配置され、上記トレー上に前記二次電池が支持されてなることを特徴とするものである。
【００１５】
上記第３の発明に係る可搬式太陽光発電装置では、前記電池支持装置には、前記架台の外側から前記収容空間内に収容する際に移動させる方向又は該収容空間内から取り出す際に移動させる方向とは直交する方向にスライド操作可能なトレーが配置され、上記トレー上に前記二次電池が支持されてなることから、二次電池の上方に他の電子機器等を支持するプレート等が存在する場合であっても、極めて容易に取り外したり、交換したりすることが可能となる。換言すれば、この第３の発明に係る可搬式太陽光発電装置によれば、上記二次電池の上方にも、他の電子機器を支持するプレート等を設けることが可能となる。
【００１６】
また、第４の発明（請求項４記載の発明）は、前記第１，第２又は第３の発明の何れかにおいて、前記太陽光発電装置本体又は架台と電池支持装置とには、該電池支持装置が、該太陽光発電装置本体又は架台の外側から前記収容空間内に収容されるように移動操作することにより、該電池支持装置全体が上昇するようガイドするガイド部材と、このガイド部材にガイドされる被ガイド部材とが相対的に配置されてなることを特徴とするものである。
【００１７】
この第４の発明に係る可搬式太陽光発電装置では、例えば、上記電池支持装置に被ガイド部材が配置され、太陽光発電装置本体又は架台には上記ガイド部材が配置されている場合には、電池支持装置を、太陽光発電装置本体又は架台に形成された収容空間内に収容されるよう外側から移動操作されると、被ガイド部材が配置された電池支持装置全体は、上記ガイド部材にガイドされながら上昇し、該ガイド部材により電池支持装置全体の荷重が支持されることとなり、この状態においては、電池支持装置に配置された電池側キャスターは地表から離れることとなる。したがって、上記電池支持装置が収容空間内に収容する操作が終了した場合に、この可搬式太陽光発電装置全体を他所に移動させる際には、上記本体側キャスターのみが地表と転動することとなり、電池側キャスターは転動しないことから、該可搬式太陽光発電装置全体の移動時におけるがたつきやブレ等を防止することが可能となってスムーズな移動操作を実現することができる。
【００１８】
また、第５の発明（請求項５記載の発明）は、上記第１，第２，第３又は第４の発明の何れかにおいて、前記太陽光発電装置本体又は架台又は電池支持装置には、該二次電池に電気的に接続されたモバイル無線ＬＡＮルータが配置されてなることを特徴とするものである。
【００１９】
この第５の発明では、モバイル無線ＬＡＮルータを前記太陽光発電装置本体又は架台又は電池支持装置に配置したことにより、Ｗｉ−Ｆｉ（ｗｉｒｅｌｅｓｓ  ｆｉｄｅｌｉｔｙ）、Ｂｌｕｅｔｏｏｔｈ（Ｂｌｕｅｔｏｏｔｈはブルートゥース  エスアイジー，インコーポレイテッドの登録商標、以下同じ）などの規格に従って動作する携帯電話やパソコン等の無線通信端末の良好な通信環境を確保することができる。特に、災害時においては、電話回線が込み合うことから、使用不能となる場合が多いが、上記モバイル無線ＬＡＮルータを配置することにより、該モバイル無線ＬＡＮルータを介して通信可能となる。
【発明の効果】
【００２０】
上記第１の発明（請求項１記載の発明）に係る可搬式太陽光発電装置によれば、作業者又は使用者が上記太陽光発電装置本体を押圧することにより、該太陽光発電装置本体と電池支持装置とを一体的に（すなわち、この可搬式太陽光発電装置全体を）他所に移動させることが可能となる。また、上記太陽光発電装置本体と電池支持装置との係合状態を解除し、該電池支持装置を太陽光発電装置本体内から取り出すことにより、電池支持装置のみを他所に移動することができるばかりではなく、上記二次電池を交換することも可能となる。
【００２１】
また、第２の発明（請求項２記載の発明）に係る可搬式太陽光発電装置によれば、使用しない場合には太陽光発電装置本体の全長を小型化することがき、前記本体側キャスターや電池側キャスターを転動させながら他所へ移動させる際や、自動車等の車両に積載して移送する際においても極めて簡便なものとすることが可能となる。
【００２２】
また、第３の発明（請求項３記載の発明）に係る可搬式太陽光発電装置によれば、二次電池の上方に他の電子機器等を支持するプレート等が存在する場合であっても、極めて容易に取り外したり、交換したりすることが可能となる。換言すれば、この第３の発明に係る可搬式太陽光発電装置によれば、上記二次電池の上方にも、他の電子機器を支持するプレート等を設けることが可能となる。
【００２３】
また、第４の発明（請求項４記載の発明）に係る可搬式太陽光発電装置によれば、電池支持装置が収容空間内に収容する操作が終了した場合に、この可搬式太陽光発電装置全体を他所に移動させる際には、上記本体側キャスターのみが地表と転動することとなり、電池側キャスターは転動しないことから、該可搬式太陽光発電装置全体の移動時におけるがたつきやブレ等を防止することが可能となってスムーズな移動操作を実現することができる。
【００２４】
また、第５の発明（請求項５記載の発明）に係る可搬式太陽光発電装置によれば、Ｗｉ−Ｆｉ（ｗｉｒｅｌｅｓｓ  ｆｉｄｅｌｉｔｙ）、Ｂｌｕｅｔｏｏｔｈなどの規格に従って動作する携帯電話やパソコン等の無線通信端末の良好な通信環境を確保することができる。特に、災害時においては、電話回線が込み合うことから、使用不能となる場合が多いが、上記モバイル無線ＬＡＮルータを配置することにより、該モバイル無線ＬＡＮルータを介して通信可能となる。
【図面の簡単な説明】
【００２５】
【図１】実施の形態に係る可搬式太陽光発電装置を正面左側から示す斜視図である。
【図２】実施の形態に係る可搬式太陽光発電装置を背面左側から示す斜視図である。
【図３】架台の構成を示す斜視図である。
【図４】実施の形態に係る可搬式太陽光発電装置を背面右側から示す斜視図である。
【図５】実施の形態に係る可搬式太陽光発電装置を左側から示す側面図である。
【図６】実施の形態に係る可搬式太陽光発電装置を左側から示す側断面図である。
【図７】実施の形態に係る可搬式太陽光発電装置の内部を一部示す背面図である。
【図８】実施の形態に係る電池支持装置を正面左側から示す斜視図である。
【図９】実施の形態に係る電池支持装置を正面左側から示す斜視図である。
【図１０】実施の形態に係る電池支持装置を示す底面図である。
【図１１】実施の形態に係る電池支持装置を示す正面図である。
【図１２】実施の形態に係る電池支持装置を背面右側から示す斜視図である。
【図１３】スライドロック部材の構成を示す斜視図である。
【図１４】実施の形態に係る可搬式太陽光発電装置の電気回路の構成を示す模式図である。
【図１５】実施の形態に係る可搬式太陽光発電装置の第１の架台内に第２の架台を収容し、第２の架台内に第３の架台を収容した状態を示す正面図である。
【発明を実施するための形態】
【００２６】
以下、本発明を実施するための最良の形態を、図面を参照しながら詳細に説明する。
【００２７】
この第１の実施の形態に係る可搬式太陽光発電装置１は、図１又は図２に示すように、太陽光発電装置本体（以下、装置本体と言う。）２と、電池支持装置３とから構成されている。上記装置本体２は、第１の架台５と、右端がこの第１の背面板部５内に挿入されてなる第２の架台６と、右端がこの第２の架台６内に挿入されてなる第３の架台７とから構成されている。上記第１ないし第３の架台５，６，７は、それぞれ左側面形状又は右側面形状が垂直に起立した背面と、水平に成形された天板と、傾斜した傾斜面とを有し、基本的形状が略台形状に成形されたものであり、上記第１の架台５は、第２の架台６よりもやや大きな形状に成形され、第２の架台６は第１の架台７よりもやや大きな形状とされてなるものである。そして、上記第１ないし第３の架台５，６，７は、それぞれ図３に示すフレーム（符号は省略する。）を備えている。
【００２８】
以下、このフレームに付いて説明する。このフレームは、後述する各背面板部（第１の架台５を構成する第１の背面板部や第２の架台６を構成する第１の背面側板部）の下端の長さに等しい長さに成形された背面側水平下フレーム１１と、この背面側水平下フレーム１１の右端に後端が接続されてなり正面側に長さを有する右側水平下フレーム１２と、この右側水平下フレーム１２の前端に左端が接続され、上記背面側水平下フレーム１１と平行となされた正面側水平下フレーム１３とを備え、該背面側水平下フレーム１１，右側水平下フレーム１２，正面側水平下フレーム１３は、平面形状がコ字状に成形されている。また、上記背面側水平下フレーム１１の左端には、該背面側水平下フレーム１１から垂直に起立してなる背面側垂直左フレーム１４の下端が接続され、背面側水平下フレーム１１の右端には、該背面側水平下フレーム１１から垂直に起立してなる背面側垂直右フレーム１５が接続されている。そして、上記背面側垂直左フレーム１４の上端と背面側垂直右フレーム１５の上端とは、該背面側水平下フレーム１１と平行とされた背面側水平上フレーム１６により接続されている。なお、上記背面側垂直左フレーム１４の中途部から背面側垂直右フレーム１５の中途部には、背面側水平下フレーム１１と背面側水平上フレーム１６とにそれぞれ平行となされた背面側中間フレーム１７が接続されている。そして、上記背面側水平下フレーム１１，右側水平下フレーム１２，正面側水平下フレーム１３には、それぞれこの可搬式太陽光発電装置１を移動させる際に地表に転動する本体側キャスター１８が配置されている。なお、これらの本体側キャスター１８は、上記第２の架台６及び第３の架台７にもそれぞれ配置されており、各図面においては、それぞれのキャスターを全て同じ符号で表す。
【００２９】
そして、上記第１の架台５においては、図２又は図３に示すように、第１の背面側板部２１が固定されている。この第１の背面側板部２１は、縦方向に長さを有してなる板材であり、下端が上記背面側水平下フレーム１１に固定されてなるとともに、左端は上記背面側垂直左フレーム１４に固定され、右端は上記背面側垂直右フレーム１５に固定されている。そして、上記第１の背面側板部２１の上端には、横方向に長さを有する水平板部２２が固定され、この水平板部２２の基端には、第２の背面側板部２３が起立している。なお、上記水平板部２２は、上記背面側水平上フレーム１６上に固定されている。また、この第１の架台５には、天板部２５が固定されている。この天板部２５は、水平に配置された長方形状の主面部（符号は省略する。）と、この主面部の後端から折曲され上記第２の背面側板部２３に固定された後部折曲片２５ａと、上記主面部の前端から折曲された前部折曲片２５ｂとから構成されている。なお、上記天板部２５の主面部の下面には、後述する第２の架台６を構成する天板部４５の上面をガイドする複数の天板側ガイドローラ２８が配置されている。
【００３０】
また、上記前部折曲片２５ｂには、後述する第１の太陽光パネル３５の上端側を支持する上側パネル支持プレート３１が固定され、一方、正面側水平下フレーム１３の正面には上記第１の太陽光パネル３５の下端側を支持する下側パネル支持プレート３３が固定されている。そして、この第１の架台５の正面には、図１に示すように、縦方向に長さを有する長方形状に成形された第１の太陽光パネル３５が固定されている。この第１の太陽光パネル３５（及び後述する第２及び第３の太陽光パネルも同じように）正面側に多数の太陽光発電素子又は太陽電池モジュール（符号は省略する。）が形成され表面はガラス等の透明な素材によりコーティングされ、背面には硬質な板体が固定されている。そして、第１の太陽光パネル３５の上端側は、上記上側パネル支持プレート３１に上端が固定された上部係合片３６の背面により該第１の太陽光パネル３５の正面側から係合され、第１の太陽光パネル３５の下端側は、上記下側パネル支持プレート３３の正面に基端側が固定された下部係合片３７の背面により該第１の太陽光パネル３５の正面側から係合されている。なお、上記第１の架台５（可搬式太陽光発電装置１）の右側面には、右側板部３９が固定され、この右側板部３９の中途部には、作業者又は使用者が可搬式太陽光発電装置１を移動させ又は後述するように伸縮動作させる際に把持される右側把手４０が固定されている。また、図５に示すように、上記上側パネル支持プレート３１には、固定片４１を介して上部正面側ガイドローラ４３が転動自在に配置されている。また、上記背面側垂直左フレーム１４の正面の上端側には、固定片４２を介して背面側ガイドローラ４８が転動自在に配置されている。なお、図３に示す構造は、後述する第２及び第３の架台６，７も同様であり、それぞれ第２及び第３の架台６，７の説明においては、その一部を省略する。なお、上記正面側水平下フレーム１３の左端にはストッパー３２が取り付けられており、詳細な説明は省略するが、上記第２の架台６がこの第１の架台５に対して第２の架台６が伸張した際には、該ストッパー３２が該第２の架台６の構成する部材に当接する事により、該第２の架台６が第１の架台５から抜けて分離することを防ぐ。
【００３１】
また、上記第２の架台６は、上記図３を参照しながら説明した各フレームを備え、正面には、第２の太陽光パネル４４が固定され、下方には前述した本体側キャスター１８が配置されている。また、この第２の架台６には、上記第１の架台５を構成する天板部２５の高さよりもやや低い位置に配置された天板部４５が固定され、また、上記第２の太陽光パネル４４の上端側と係合する上部係合片４６の正面には、上記正面側ガイドローラ４３に内側面が転動するガイドレール４７が固定されている。このガイドレール４７は、上記第２の太陽光パネル４４の上端側であって該第２の太陽光パネル４４の幅方向に長さを有してなるものであり、互いに対向し平行となされ上記正面側ガイドローラ４３が転動する転動面を有してなるものであり、左及び右側面形状はコ字状に成形されてなるものである。また、上記天板部４５の上面であって左端側には、図１，図２又は図４に示すように、ストッパー４９が固定され、後述するように、この第２の架台６を上記第１の架台５内に押し込んでいくことにより、上記第１の架台５の天板部２５の下面に配置された天板側ガイドローラ２８が当接するように構成されている。また、この第２の架台６を構成する天板部４５の下面には、図５に示すように、上部天板側ガイドローラ５１が配置されている。また、この第２の架台６を構成する第１の背面板部５０の上端には、図２に示すように、上記背面側ガイドローラ４８が転動するガイドレール５２が固定されている。このガイドレール５２は、上記第２の太陽光パネル４４の幅方向に長さを有してなるものであり、互いに対向し平行となされ背面側ガイドローラ４８が転動する転動面を有してなるものであり、左及び右側面形状はコ字状に成形されてなるものである。また、図３に示す構造と同じように、この第２の架台６においても、上記上側パネル支持プレート３１と同様の構成に係る上側パネル支持プレート５５が固定され、この上側パネル支持プレート５５の上端側中途部には、固定片５６を介して上部正面側ガイドローラ５７が転動自在に配置されている。また、この第２の架台６を構成する背面側垂直左フレーム５９の正面の上端側には、固定片６０を介して背面側ガイドローラ６１が転動自在に配置されている。
【００３２】
また、上記第３の架台７は、上記図３を参照しながら説明した各フレームを備え、正面には、第３の太陽光パネル６４が固定され、下方には前述した本体側キャスター１８が配置されている。また、この第３の架台７には、上記第２の架台６を構成する天板部４５の高さよりもやや低い位置に配置された天板部６５が固定され、また、上記第３の太陽光パネル６４の上端側と係合する上部係合片６６の正面には、図１に示すように、上記正面側ガイドローラ５７に内側面が転動するガイドレール６８が固定されている。このガイドレール６８は、上記第３の太陽光パネル６４の上端側であって該第３の太陽光パネル６４の幅方向に長さを有してなるものであり、互いに対向し平行となされ上記正面側ガイドローラ５７が転動する転動面を有してなるものであり、左及び右側面形状はコ字状に成形されてなるものである。また、上記天板部６５の上面であって左端側には、図１，図２又は図４に示すように、ストッパー７０が固定され、後述するように、この第３の架台７を上記第２の架台６内に押し込んでいくことにより、上記第２の架台６の天板部４５の下面に配置された天板側ガイドローラ５１が当接するように構成されている。また、この第３の架台７を構成する第１の背面側板部６７の上端には、図２に示すように、上記背面側ガイドローラ６１が転動するガイドレール７２が固定されている。このガイドレールは、上記第３の太陽光パネル６４の幅方向に長さを有してなるものであり、互いに対向し平行となされ背面側ガイドローラ６１が転動する転動面を有してなるものであり、左及び右側面形状はコ字状に成形されてなるものである。また、図１に示すように、上記第３の太陽光パネル６４の上端側には、上記背面側ガイドローラ６１が転動するガイドレール６８が固定されている。このガイドレール６８は、上記第３の太陽光パネル６４の幅方向に長さを有してなるものであり、互いに対向し平行となされ背面側ガイドローラ６１が転動する転動面を有してなるものであり、左及び右側面形状はコ字状に成形されてなるものである。なお、上記第２の架台６及び第３の架台７には、上記第１の架台５を構成する右側板部３９と同じ構成に係る部材は固定されていない。
【００３３】
そして、さらに上記第３の架台７の左側には、図１及び図５に示すように、左側板部７５が固定され、この左側板部７５の下端側中途部には、略台形状の開口７５ａが形成されている。すなわち、この第３の架台７の内部は、先に説明した第１及び第２の架台５，６と同じように、内部には空間が形成され、とりわけこの第３の架台７の内部空間は、電池支持装置３が挿入される空間であり、上記開口７５ａは、この電池支持装置３を上記内部空間内に挿入するために用いられる部位である。また、上記第３の架台７の左側の左側板部７５の中途部には、作業者又は使用者が可搬式太陽光発電装置１を移動させ又は後述するように伸縮動作させる際に把持される左側把手７６が固定されている。
【００３４】
なお、図６は、上記第３の架台７を構成する左側板部７５を取り除くとともに、後述する電池支持装置３の左側プレートを取り除いた状態を示す左側面図であり、以下、この図６を参照しながら、この第３の架台７の内部構造について説明する。この第３の架台７は、図３を参照しながら説明した上記背面側垂直左フレーム１４と同様の背面側垂直左フレーム７８が構成要素とされ、この背面側垂直左フレーム７８の下端には、先に説明した背面側水平下フレーム１１と同様の構成に係る図示しない背面側水平下フレームの左端が固定されている。そして、この背面側水平下フレームの正面には、Ｌ字状に成形された背面側固定金具７９が固定されている。この背面側固定金具７９は、上記背面側水平下フレームの正面に固定された垂直板部７９ａと、この垂直板部７９ａの下端から正面側に折曲されてなる水平板部７９ｂとから構成されている。そして、この水平板部７９ｂ上には、背面側ガイドプレート８０が固定されている。一方、この第３の架台７にも、上記図３を参照しながら説明した正面側水平下フレーム１３と同じ構造に係る正面側水平下フレーム８１が構成要素とされ、この正面側水平下フレーム８１の後方には、正面側ガイドプレート８３が固定されている。上記背面側ガイドプレート８０と正面側ガイドプレート８３とは、それぞれ同一の形状に成形されてなるものである。そして、上記背面側ガイドプレート８０は、図７に示すように、水平に配置された水平ガイド板部８０ａと、この水平ガイド板部８０ａの左側中途部から左端にかけて徐々に下がるよう傾斜してなる傾斜ガイド板部８０ｂとから構成されている。換言すれば、上記傾斜ガイド板部８０ｂは、左端から水平ガイド板部８０ａの左端までは、徐々に上方に傾斜してなり、上記水平ガイド板部８０ａは、水平とされている。こうした構成からなる上記背面側ガイドプレート８０（及び正面側ガイドプレート８３）は、後述する電池支持装置３の正面側と背面側との双方に２つずつ配置された被ガイドローラがガイドされるものであり、該電池支持装置３を後述するように、上記第３の架台７に設けられた開口７５ａ内に押し込むことにより、該電池支持装置３をやや上昇させるものである。
【００３５】
また、図５に示すように、この第３の架台７を構成する左側板部７５の左側面の下方であって、上記開口７５ａの左右両側には、それぞれロック部材８６，８７が支軸８６ａ，８７ａを中心に回動操作可能に配置されている。なお、これらのロック部材８６，８７は、本発明を構成する係合部材であって、上記ロック部材８６を図５中において上記支軸８６ａを中心に時計回り方向に回動操作することにより、該ロック部材８６の先端側が後述する電池支持装置３を構成するロック部材支持板１２１の上面に支持され、上記ロック部材８７を図５中において上記支軸８７ａを中心に反時計回り方向に回動操作することにより、該ロック部材８７の先端側が後述する電池支持装置３を構成するロック部材支持板１２１の上面に支持されるように構成されている。上記各ロック部材８６，８７を図５中時計回り方向又は反時計まわり方向に回動操作することにより、後述するように、上記第３の架台７内に押し込まれた電池支持装置３は、該ロック部材８６，８７と電池支持装置３を構成する左側板部９２とが互いに係合し、該第３の架台７内から脱落し又は外側に露出することが防止される。
【００３６】
次に、上記電池支持装置３について図面を参照しながら詳細に説明する。この電池支持装置３は、図８又は図９に示すように、後述する二次電池その他の電気機器が支持されてなるものである。そして、この電池支持装置３は、長方形状に成形された底板部９１と、この底板部９１の左端から起立してなる左側板部９２と、上記底板部９１の右端から起立してなる右側板部９３と、上記底板部９１の上方に配置されたスライドトレー９４とを備えている。そして、上記底板部９１の前端には、該底板部９１の前端側が下方に折曲されることにより形成なる前方垂下片９１ａが形成され、該底板部９１の後端には、該底板部９１の後端側が下方に折曲されることにより形成なる後方垂下片９１ｂが形成されている。そして、図１０に示すように、上記前方垂下片９１ａの正面には、左右両側に前方側被ガイドローラ９５，９５が回動自在に配置され、上記後方垂下片９１ｂの背面には、後方側被ガイドローラ９６，９６が回動自在に配置されている。上記前方側被ガイドローラ９５，９５は、上記第３の架台７を構成する正面側ガイドプレート８３の上面に接触しながら転動する部材であり、上記後方側被ガイドローラ９６，９６は、上記背面側ガイドプレート８０の上面に接触しながら転動する部材である。また、上記底板部９１の下面の各角部には、図１０に示すように、それぞれ略直方体状に成形された支柱部材９７を介して電池側キャスター９８が配置されている。
【００３７】
また、上記底板部９１の上面の左側には、該底板部９１の幅方向に長さを有する左固定ガイド部材１０１が固定され、右側には、この左固定ガイド部材１０１と平行に固定された右固定ガイド部材１０２が固定されている。これら左固定ガイド部材１０１及び右固定ガイド部材１０２は、それぞれ上記底板部９１上に固定された固定板部１０１ａ，１０２ａと、この固定板部１０１ａ，１０２ａの右端又は左端から起立してなる起立板部１０１ｂ，１０２ｂと、この起立板部１０１ｂ，１０２ｂの上端から右側又は左側に折曲されてなる水平板部１０１ｃ，１０２ｃとから構成されている。そして、上記各起立板部１０１ｂ，１０２ｂには、それぞれ複数の固定ガイドローラ１０３，１０４が回動自在に配置されている。上記固定ガイドローラ１０３と固定ガイドローラ１０４とは互いに対向しているとともに、該固定ガイドローラ１０３，１０４の上端と上記水平板部１０１ｃ，１０２ｃとの間には、後述するスライドトレー９４を構成する被ガイドレールの肉厚以上のクリアランスが形成されている。一方、上記スライドトレー９４は、トレー本体１０５と、このトレー本体１０５の左側に固定され上記固定ガイドローラ１０３にガイドされる被ガイドレール１０６と、該トレー本体１０５の右側に固定され上記固定ガイドローラ１０４にガイドされる被ガイドレール１０７とを備えている。上記トレー本体１０５は、本発明を構成する電池支持体であり、長方形状に成形され左右に二次電池９９，１００が載置された載置板部１０５ａ（図１１参照）と、この載置板部の前端から起立してなる前方起立板部１０５ｂと、上記載置板部の後端から起立してなる後方起立板部１０５ｃとから構成されており、上記前方起立板部１０５ｂの正面には、スライド操作用の把手１０８が固定されている。なお、上記各二次電池９９，１００は、それぞれ一端が上記前方起立板部１０５ｂに着脱可能に取り付けられ、他端は上記後方起立板部１０５ｃに着脱可能に取り付けられたベルト１１０，１１１により固定されている。なお、上記後方起立板部１０５ｃと二次電池９９，１００の背面との間には僅かなクリアランスが形成されている。
【００３８】
また、上記底板部９１の上面の後方には、図１２又は図１３に示すように、上記スライドトレー９４を構成する後方起立板部１０５ｃと平行とされた起立板１１２が起立した状態で固定され、この起立板１１２の背面には、スライドロック部材１１３の基端が支軸１１４により回動操作可能に取り付けられている。このスライドロック部材１１３は、図１３に示すように、上記起立板１１２の背面側に位置する主板部１１３ａと、この主板部１１３ａの上端側一側から折曲されてなり該主板部１１３ａの正面と面対向してなる折曲部１１３ｂとから構成されている。そして、上記主板部１１３ａの正面と折曲部１１３ｂの背面との間は、上記起立板１１２の肉厚寸法と後方起立板部１０５ｃの肉厚寸法との合計寸法又はそれよりも若干長い間隔とされている。したがって、上記スライドトレー９４を最も後方にスライド操作し、上記後方起立板部１０５ｃの背面と起立板１１２の正面とが接合した場合に、上記スライドロック部材１１３を起立した状態から（倒すように）回動操作し、上記主板部１１３ａと折曲部１１３ｂとにより後方起立板部１０５ｃと起立板１１２とを挟み込むことにより、スライドトレー９４のスライド操作は不能となり、不用意に二次電池９９，１００が底板部９１上から外側（正面側）に露出することがない。
【００３９】
また、上記スライドトレー９４の上方には、棚板１１５が固定されている。この棚板１１５の左端は、上記左側板部９２の右側面に固定され、右端は上記右側板部９３の左側面に固定されている。また、この棚板１１５の上面の左側には、インバータ（コンディショナー）１１６とモバイル無線ＬＡＮルータ１２３が載置されている。なお、このインバータ１１６の左側面には、図示しない電源スイッチや電源のオン状態とオフ状態を表示する複数のランプ、また携帯電話やパーソナルコンピュータ等の負荷と接続するコネクタ等が形成されている。また、この棚板１１５には、ケーブルが挿通される複数の円形状の開口１１５ａ，１１５ｂが形成されている。また、上記右側板部９３の上端側には、右側把手１１７が固定され、上記左側板部９２の中途部には、左側把手１１８が固定されている。そして、この左側板部９２は、上記第３の架台７の左側板部７５に形成された開口７５ａと略同じ外形形状に成形されているとともに、下側から第１ないし第３の窓部９２ａ，９２ｂ，９２ｃが形成されている。そして、この左側板部９２の右側面であって、上記第１の窓部９２ａが形成された部位にはコントローラ１１９が配置され、該コントローラ１１９の表示部が該第１の窓部９２ａから視認できるようにされている。また、左側板部９２の右側面であって、上記第２の窓部９２ｂが形成された部位には上記インバータ１１６が配置され、該インバータ１１６の上記左側面が該第２の窓部９２ｂから視認できるようにされている。また、上記第３の窓部９２ｃが形成された部位の右側面には充放電電流計１２０が固定され、充放電電流計１２０に形成された電流の表示部が該第３の窓部９２ｃから視認できるようにされている。また、上記左側板部９２の左側面の下端側中途部には、ロック部材支持板１２１が固定され、上記ロック部材８６，８７が支持されるように構成されている。
【００４０】
そして、上記第１ないし第３の太陽光パネル３５，４４，６４と、充放電電流計１２０と、コントローラ１１９と、各二次電池９９，１００と、インバータ１１６とは、図１４に示す電気回路図のようにそれぞれケーブル又は電線を介してそれぞれ図示しないコネクタを介して接続されている。すなわち、上記第１ないし第３の太陽光パネル３５，４４，６４は直列回路により接続され、上記コントローラ１１９に接続されている。また、上記第１ないし第３の太陽光パネル３５，４４，６４とコントローラ１１９との間には、上記充放電電流計１２０が接続されている。また、上記コントローラ１１９と上記二つの二次電池９９，１００とは直列回路により接続されてなるとともに、該二つの二次電池９９，１００は、上記インバータ１１６に接続され、さらにこのインバータ１１６には上記モバイル無線ＬＡＮルータ１２３が接続されている。なお、上記二つの二次電池９９，１００は並列回路により接続されていても良い。
【００４１】
したがって、上述した実施の形態に係る可搬式太陽光発電装置１によれば、上記装置本体２を構成するとともに、それぞれ第１，第２又は第３の太陽光パネル３５，４４，６４を構成要素とする第１，第２又は第３の架台５，６，７を最も伸長することにより、太陽光による発電が可能となる。そして、使用しない場合や所定の倉庫等に収容する場合又は移動させる場合には、上記第３の架台７に固定された左側把手７６を把持しながら第２の架台６方向に押圧操作すると、先に説明した各ガイドローラ（符号は省略する。）がガイドレール（符号は省略する。）によりガイドされながら第３の架台７は所定の範囲内で該第２の架台６内に収容され、この第３の架台７が第２の架台６内に収容されると、図１５に示すように、該第２の架台６も共に移動し、第１の架台５内に収容される。したがって、こうした伸縮機能を有する可搬式太陽光発電装置１によれば、トラック等の車両に積載して輸送する場合においても便利なものとなる。
【００４２】
また、この実施の形態に係る可搬式太陽光発電装置１では、上記装置本体２と電池支持装置３とは別体とされており、該電池支持装置３には電池側キャスター９８が配置されていることから簡単に移動させることができ、高重量の二次電池９９，１００を移動させる際には極めて簡便なものとなる。また、上記二次電池９９，１００を交換することも簡単であり、特に、この実施の形態に係る電池支持装置３では、上記二次電池９９，１００はスライドトレー９４に支持されてなるとともに、該スライドトレー９４を手前（正面側）に引き出すことができるため、上記交換作業は極めて簡便なものとなる。
【００４３】
さらに、上記電池支持装置３には、前方側被ガイドローラ９５，９５と後方側被ガイドローラ９６，９６とがそれぞれ回動自在に配置され、該電池支持装置３を上記開口７５ａから内部に挿入し押圧することにより、前方側被ガイドローラ９５，９５と後方側被ガイドローラ９６，９６とは上記背面側ガイドプレート８０又は正面側ガイドプレート８３によりガイドされながら徐々に上昇し、該背面側ガイドプレート８０及び正面側ガイドプレート８３に電池支持装置３全体が支持されることとなり、この結果、上記電池支持装置３に配置された各電池側キャスター９８は宙に浮くこととなるため、この可搬式太陽光発電装置１全体を移動させる際には、第１ないし第３の架台５，６，７に配置された本体側キャスター１８のみを利用することとなる。したがって、移動の際におけるガタ付き等を防止することができる。
【００４４】
そして、上述した構成に係る可搬式太陽光発電装置１は、商用電源を利用できない場所や地域において、家電製品や各種に電気機器を駆動する駆動電源として十分利用することができる。特に、地震や台風などの天災地変により商用電源が利用不能となった場合においては、携帯電話やパーソナルコンピュータ等の電子機器の駆動電源として、上記各二次電池に蓄電された電力を利用することがでる。例えば、携帯電話やパソコン等の無線通信端末に対して、この可搬式太陽光発電装置１により得られた電力を充電することができるとともに、該携帯電話やパソコン等の無線通信端末が、Ｗｉ−Ｆｉ（ｗｉｒｅｌｅｓｓ  ｆｉｄｅｌｉｔｙ）、Ｂｌｕｅｔｏｏｔｈなどの規格に従って動作するものであれば、該無線通信端末を介して他の無線通信端末をインターネットに接続させる所謂テザリングを行う事が可能となる。この場合において、上記電池支持装置３には、上記モバイル無線ＬＡＮルータ１２３が配置されていることから、災害時に電話回線が込み合っている場合であっても、使用不能となることなく安定した情報通信を実現することができる。
【００４５】
なお、上記実施の形態に係る可搬式太陽光発電装置１では、太陽光発電装置本体２を第１ないし第３の架台５，６，７を構成要素とするものを図示して説明したが、本発明に係る太陽光発電装置本体は、複数の架台を備えてなるものではなく、単一の架台から成るものであっても良い。また、この太陽光発電装置本体を複数の架台により構成する場合であっても、上述したように、３つの架台（符号は省略する。）からなるものばかりではなく、２つ又は４つの架台からなるものであっても良い。また、上記可搬式太陽光発電装置１では、装置本体（第３の架台７）２内に電池支持装置３を収容した際に、該電池支持装置３全体が上方に移動するタイプのものを説明したが、本発明は、このように電池支持装置３が上昇することなく、電池側キャスター９８が地表に接した状態のままで該装置本体（第３の架台７）２内に収容されるものであっても良い。
【００４６】
さらに、上記第１ないし第３の架台５，６，７に固定された第１ないし第３の太陽光パネル３５，４４，６４は、本発明を構成する太陽光発電体であるが、本発明において、この太陽光発電体は、少なくとも太陽光により発電するものであれば良く、また、上記第１ないし第３の太陽光パネル３５，４４，６４のようにパネル状のものではなく、例えば、図示しないフィルム状の薄膜太陽光電池又は太陽電池モジュール（例えば、三菱化学株式会社製のＥシリーズタイプ１等又は富士電機システムズ株式会社製のフィルム状の太陽電池モジュール）を使用しても良い。また、上記モバイル無線ＬＡＮルータ１２３は、上記第３の架台７内に配置されているものであっても良い。
【符号の説明】
【００４７】
１  可搬式太陽光発電装置
２  太陽光発電装置本体
３  電池支持装置
１８  本体側キャスター
２１  第１の背面側板部
３５  第１の太陽光パネル
４４  第２の太陽光パネル
５０  第１の背面側板部
６４  第３の太陽光パネル
６７  第１の背面側板部
８０  背面側ガイドプレート
８３  正面側ガイドプレート
８６，８７  ロック部材
９５  前方側被ガイドローラ
９６  後方側被ガイドローラ
９８  電池側キャスター
９９，１００  二次電池
１０５  トレー本体
１２３  モバイル無線ＬＡＮルータ
【図１】
2014207298.tif 000003
【図２】
2014207298.tif 000004
【図３】
2014207298.tif 000005
【図４】
2014207298.tif 000006
【図５】
2014207298.tif 000007
【図６】
2014207298.tif 000008
【図７】
2014207298.tif 000009
【図８】
2014207298.tif 000010
【図９】
2014207298.tif 000011
【図１０】
2014207298.tif 000012
【図１１】
2014207298.tif 000013
【図１２】
2014207298.tif 000014
【図１３】
2014207298.tif 000015
【図１４】
2014207298.tif 000016
【図１５】
2014207298.tif 000017